【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
取引情報を処理するＰＯＳアプリケーションを動作させる処理装置と、
データを出力する入力デバイスと、
前記入力デバイスと接続して前記入力デバイスから出力されたデータが入力される入力部、前記入力デバイスからの前記データに基づき入力データを生成しデバイス情報を取得するデバイスドライバーを実行させるとともに前記デバイス情報に基づいて前記入力データを出力するか否かを判定するフィルタードライバーを動作させる制御部、前記フィルタードライバーで出力すると判定された前記入力データ及び前記デバイス情報を前記処理装置に出力する出力部、印刷を実行する印刷部、及び前記処理装置と通信する通信部を有し、前記処理装置の制御に基づいて前記印刷部で印刷を実行する印刷装置と、
を備えることを特徴とするＰＯＳシステム。
【請求項２】
前記処理装置は、前記ＰＯＳアプリケーションを動作させるウェブページに基づく画面を生成するウェブブラウザー、及び前記ウェブブラウザーで生成された画面を表示する表示部を備える請求項１記載のＰＯＳシステム。
【請求項３】
前記入力デバイスで出力されるデータは前記ＰＯＳアプリケーションで処理される取引情報に関するデータであり、
前記処理装置は、前記入力データと、前記デバイス情報とに基づいて、前記ＰＯＳアプリケーションで取引情報を処理する請求項２記載のＰＯＳシステム。
【請求項４】
前記フィルタードライバーは、前記デバイスドライバーで前記入力データが生成されたのち、前記ＰＯＳアプリケーションで指定された条件に該当する入力データを取得する請求項２または３記載のＰＯＳシステム。
【請求項５】
入力デバイスで読み取られた情報が印刷装置に出力され、
前記入力デバイスからの前記データに基づき前記印刷装置で入力データを生成しデバイス情報を取得し、
前記デバイス情報に基づいて前記入力データを出力するか否かをフィルタードライバーで判定し、
前記フィルタードライバーで出力すると判定された前記入力データ及び前記デバイス情報を印刷装置から処理装置に出力し、
前記処理装置で前記入力データ及び前記デバイス情報に基づいて、ＰＯＳアプリケーションで処理し、
前記ＰＯＳアプリケーションで処理された取引情報を前記印刷装置に送信し、
送信された前記取引情報に基づいて、前記印刷装置で印刷すること
を特徴とするＰＯＳシステムの制御方法。
【請求項６】
前記処理装置は、
ＰＯＳアプリケーションを動作させるウェブページに基づく画面を生成するウェブブラウザー、及び前記ウェブブラウザーで生成された画面を表示する請求項５記載のＰＯＳシステムの制御方法。
【請求項７】
前記入力デバイスで出力されるデータは前記ＰＯＳアプリケーションで処理される取引情報に関するデータであり、
前記処理装置は、前記入力データと、前記デバイス情報とに基づいて、前記ＰＯＳアプリケーションで取引情報を処理する請求項６記載のＰＯＳシステムの制御方法。
【請求項８】
前記フィルタードライバーは、前記入力データが生成されたのち、前記ＰＯＳアプリケーションで指定された条件に該当する入力データを取得する請求項６または７記載のＰＯＳシステムの制御方法。
【請求項９】
入力デバイスと接続して前記入力デバイスから出力されたデータが入力される入力部と、
前記入力デバイスからの前記データに基づき入力データを生成しデバイス情報を取得するデバイスドライバーを実行させるとともに前記デバイス情報に基づいて前記入力データを出力するか否かを判定するフィルタードライバーを動作させる制御部と、
前記フィルタードライバーで出力すると判定された前記入力データ及び前記デバイス情報を出力する出力部と、
印刷を実行する印刷部と、処理装置と通信する通信部と、
を有し、前記処理装置の制御に基づいて前記印刷部で印刷を実行することを特徴とする印刷装置。
【手続補正２】
【補正対象書類名】明細書
【補正対象項目名】０００５
【補正方法】変更
【補正の内容】
【０００５】
上記目的を達成するために、本発明のＰＯＳシステムは、取引情報を処理するＰＯＳアプリケーションを動作させる処理装置と、データを出力する入力デバイスと、前記入力デバイスと接続して前記入力デバイスから出力されたデータが入力される入力部、前記入力デバイスからの前記データに基づき入力データを生成しデバイス情報を取得するデバイスドライバーを実行させるとともに前記デバイス情報に基づいて前記入力データを出力するか否かを判定するフィルタードライバーを動作させる制御部、前記フィルタードライバーで出力すると判定された前記入力データ及び前記デバイス情報を前記処理装置に出力する出力部、印刷を実行する印刷部、及び前記処理装置と通信する通信部を有し、前記処理装置の制御に基づいて前記印刷部で印刷を実行する印刷装置と、を備えることを特徴とする。
本発明によれば、デバイスドライバーにより入力データが生成され、この入力データに対応する入力デバイスがフィルタードライバーによって特定されるので、入力データを入力デバイスの種類に基づいて処理することが可能となり、ＰＯＳシステムにおいて入力データを適切に処理できる。そして、入力デバイスを特定するデータをデバイスドライバーが処理する必要がないため、汎用のデバイスドライバーを利用することができ、デバイスドライバーの管理の手間を軽減し、効率よく入力デバイスを制御できる。
【手続補正３】
【補正対象書類名】明細書
【補正対象項目名】０００９
【補正方法】変更
【補正の内容】
【０００９】
また、上記目的を達成するために、本発明のＰＯＳシステムの制御方法は、入力デバイスで読み取られた情報が印刷装置に出力され、前記入力デバイスからの前記データに基づき前記印刷装置で入力データを生成しデバイス情報を取得し、前記デバイス情報に基づいて前記入力データを出力するか否かをフィルタードライバーで判定し、前記フィルタードライバーで出力すると判定された前記入力データ及び前記デバイス情報を印刷装置から処理装置に出力し、前記処理装置で前記入力データ及び前記デバイス情報に基づいて、ＰＯＳアプリケーションで処理し、前記ＰＯＳアプリケーションで処理された取引情報を前記印刷装置に送信し、送信された前記取引情報に基づいて、前記印刷装置で印刷することを特徴とする。
本発明の制御方法によれば、デバイスドライバーにより入力データが生成され、この入力データに対応する入力デバイスがフィルタードライバーによって特定されるので、入力データを入力デバイスの種類に基づいて処理することが可能となり、ＰＯＳシステムにおいて入力データを適切に処理できる。そして、入力デバイスを特定するデータをデバイスドライバーが処理する必要がないため、汎用のデバイスドライバーを利用することができ、デバイスドライバーの管理の手間を軽減し、効率よく入力デバイスを制御できる。
また、本発明は、上記ＰＯＳシステムの制御方法において、前記処理装置は、ＯＳアプリケーションを動作させるウェブページに基づく画面を生成するウェブブラウザー、及び前記ウェブブラウザーで生成された画面を表示してもよい。
また、本発明は、上記ＰＯＳシステムの制御方法において、前記入力デバイスで出力されるデータは前記ＰＯＳアプリケーションで処理される取引情報に関するデータであり、前記処理装置は、前記入力データと、前記デバイス情報とに基づいて、前記ＰＯＳアプリケーションで取引情報を処理してもよい。
また、本発明は、上記ＰＯＳシステムの制御方法において、前記フィルタードライバーは、前記入力データが生成されたのち、前記ＰＯＳアプリケーションで指定された条件に該当する入力データを取得してもよい。
【手続補正４】
【補正対象書類名】明細書
【補正対象項目名】００１０
【補正方法】変更
【補正の内容】
【００１０】
また、本発明の印刷装置は、入力デバイスと接続して前記入力デバイスから出力されたデータが入力される入力部と、前記入力デバイスからの前記データに基づき入力データを生成しデバイス情報を取得するデバイスドライバーを実行させるとともに前記デバイス情報に基づいて前記入力データを出力するか否かを判定するフィルタードライバーを動作させる制御部と、前記フィルタードライバーで出力すると判定された前記入力データ及び前記デバイス情報を出力する出力部と、印刷を実行する印刷部と、処理装置と通信する通信部と、を有し、前記処理装置の制御に基づいて前記印刷部で印刷を実行することを特徴とする。
本発明によれば、印刷装置が、デバイスドライバーが生成した入力データをフィルタードライバーによって取得し、入力データに対応する入力デバイスを特定するので、処理装置は、入力データを入力デバイスの種類に基づいて処理できる。これにより、ＰＯＳシステムにおいて入力データを適切に処理できる。そして、デバイスドライバーが入力デバイスを特定するデータを処理する必要がないため、汎用のデバイスドライバーを利用できる。また、デバイスドライバーの管理の手間を軽減し、効率よく入力デバイスを制御できる。